(57)【要約】【課題】    １対Ｎの認証において、ユーザの利用履歴から照合する検索対象を絞ることは知られているが、初めての場所で検索対象を絞るものはない。【解決手段】  上記の課題を解決する為、本発明は一例として、認証情報をそれぞれ認証情報装置の場所によりグループに分けて記憶し、ユーザが認証処理した後、経過時間に応じて、ユーザが移動する距離を予測して、グループの紐付けを追加していくことを特徴とする。【選択図】  図１
2013196075.tif 000002
【特許請求の範囲】
【請求項１】
複数のユーザ認証情報の一覧と前記認証情報を地域毎にグループ分けしたグループ情報とを記憶する認証情報管理データベースと、
地域情報と各地域間の所要時間とを記憶する移動所要時間データベースと、
認証情報受付け装置が認証情報を受付けた場合に、前記認証受付け装置が属する地域を特定する地域情報から、前記受付けた認証情報がどのグループのものかを特定して、前記受付けた認証情報と、前記認証情報管理データベースの前記特定されたグループに紐付けられた認証情報と照合処理する認証情報登録・照合部と、
前記認証情報登録・照合部にて照合が成功した場合に、前記認証情報を受付けた時刻情報と現在時刻から経過時間を算出し、前記算出された経過時間と前記特定された地域情報を、前記移動所要時間データベースに照合して、移動可能な地域を特定し、前記移動可能地域に対応するグループのグループ情報と前記認証情報を紐付けて記憶する認証情報クラスタリング部と
を有することを特徴とする移動追随認証情報照合装置。
【請求項２】
複数のユーザ認証情報の一覧と前記認証情報をグループ分けするグループ情報とを、前記認証情報のそれぞれについて、一対一もしくは一対複数に対応付けて認証情報管理データベースに記憶するステップと、
各地域間の所要時間とそのそれぞれの前記地域情報を対応付けて移動所要時間データベースに記憶するステップと、
前記認証情報受付け装置が認証情報を受付けた場合に、前記認証受付け装置がある地域を特定する地域情報から、前記受付けた認証情報がどの前記グループのものかを特定して、前記受付けた認証情報と、前記認証情報管理データベースの前記特定されたグループに紐付けられた認証情報と照合処理するステップと、
前記認証情報を受付けた場合の時刻情報と現在時刻から経過時間を算出し、前記算出された経過時間と前記特定された地域情報を、前記駅間移動所要時間データベースに照合して、移動可能な地域を特定し、前記移動可能地域に対応するグループを特定して、前記認証情報管理データベースの当該照合が成功した認証情報に当該特定されたグループ情報を紐付けて記憶するステップと
を有することを特徴とする移動追随認証情報照合方法。
【請求項３】
複数のユーザ認証情報の一覧と前記認証情報をグループ分けするグループ情報とを、前記認証情報のそれぞれについて、一対一もしくは一対複数に対応付けて記憶する認証情報管理データベースと、
各地域間の所要時間とそのそれぞれの前記地域情報を対応付けて記憶する移動所要時間データベースと、
前記認証情報受付け装置が認証情報を受付けた場合に、前記認証受付け装置がある地域を特定する地域情報から、前記受付けた認証情報がどの前記グループのものかを特定して、前記受付けた認証情報と、前記認証情報管理データベースの前記特定されたグループに紐付けられた認証情報と照合処理する認証情報登録・照合部と、
前記認証情報を受付けた場合の時刻情報と現在時刻から経過時間を算出し、前記算出された経過時間と前記特定された地域情報を、前記駅間移動所要時間データベースに照合して、移動可能な地域を特定し、前記移動可能地域に対応するグループを特定して、前記認証情報管理データベースの当該照合が成功した認証情報に当該特定されたグループ情報を紐付けて記憶する認証情報クラスタリング部と
して機能させることを特徴とする移動追随認証情報照合プログラム。
【発明の詳細な説明】
【技術分野】
【０００１】
本発明は、認証情報の照合を効率よくおこなう技術に関する。
【背景技術】
【０００２】
近年、指静脈等の生体情報を認証情報として個人認証に使われるようになっている。生体認証のような１対Ｎの認証において、登録されてある全ての認証情報と総当りで照合すると、登録数が多くなればなるほど、処理に時間がかかる問題がある。また、特許文献１（特開２０１０−１７０４３９号）には、生体認証の被認証者についてのふるまい特性を用いて比較対象となるテンプレートを絞り込むことが述べられている。特許文献１でいうふるまい特性とは、利用時間帯や利用場所のことをいい、これにより被認証者がよく利用する利用場所や時間帯により検索対象を絞ることを可能としている。
【先行技術文献】
【特許文献】
【０００３】
【特許文献１】特開２０１０−１７０４３９号
【発明の概要】
【発明が解決しようとする課題】
【０００４】
特許文献１では、クラスタ化することで、地域に対して認証できるようになっている。ユーザが良く利用する地域においてはその地域にユーザは分類され、その地域に対して認証するので、検索対象を絞ることができる。しかしながら、ユーザがよく利用する地域から移動して、他の場所で認証をしようとすると、移動先の地域には、そのユーザが分類されておらず、検索対象として登録されていない。またそのような仕組みも考慮もされていない。
【課題を解決するための手段】
【０００５】
上記の課題を解決する為、本発明は一例として、複数のユーザ認証情報の一覧と前記認証情報をグループ分けするグループ情報とを、前記認証情報のそれぞれについて、一対一もしくは一対複数に対応付けて記憶する認証情報管理データベースと、各地域間の所要時間とそのそれぞれの前記地域情報を対応付けて記憶する移動所要時間データベースと、前記認証情報受付け装置が認証情報を受付けた場合に、前記認証受付け装置がある地域を特定する地域情報から、前記受付けた認証情報がどの前記グループのものかを特定して、前記受付けた認証情報と、前記認証情報管理データベースの前記特定されたグループに紐付けられた認証情報と照合処理する認証情報登録・照合部と、前記認証情報を受付けた場合の時刻情報と現在時刻から経過時間を算出し、前記算出された経過時間と前記特定された地域情報を、前記駅間移動所要時間データベースに照合して、移動可能な地域を特定し、前記移動可能地域に対応するグループを特定して、前記認証情報管理データベースの当該照合が成功した認証情報に当該特定されたグループ情報を紐付けて記憶する認証情報クラスタリング部とを有することを特徴とする。
【発明の効果】
【０００６】
ユーザが移動した先の地域においても、ユーザの情報が紐付けられるので、移動先においても認証処理を効率よく処理できる。
【図面の簡単な説明】
【０００７】
【図１】ＩＤレス高速生態認証システムの全体構成である。
【図２】ＩＤ管理センターサーバで保持するＩＣカードＩＤ、電子マネー残額、指静脈情報を管理するデータベースの例である。
【図３】券売機の構成である。
【図４】ＩＤカードＩＤ管理センターサーバの構成である。
【図５】券売機からＩＣカードＩＤ管理センターサーバへ指静脈情報を登録する場合のフローである。
【図６】ＩＣカードＩＤ利用歴情報データベースを表す図である。
【図７】指静脈読取装置機器情報データベースを表す図である。
【図８】本システムにより指静脈認証でＩＣカードＩＤ利用または電子マネー精算をする場合のフローである。
【図９】前出［図６］［図７］の例から読取れる利用パターンでクラスタ分類した例である。
【図１０】前出［図２］におけるＩＤ管理データベースのエリア分類クラスタの更新フローである。
【図１１】鉄道の敷設およびＩＣカード利用者の操作する操作端末が設置している地域をエリア分割する例である。
【図１２】券売機からの指静脈登録操作において券売機からＩＣカードＩＤ管理センターサーバーへ送信する利用者指静脈情報登録データの例である。
【図１３】ＩＣカード利用者がＩＣカードの利用、または指静脈認証による電子マネー決済を実施した場合に操作端末からＩＣカードＩＤ管理サーバへ送信される利用情報データである。
【図１４】駅間移動所要時間データベースを表す図である。
【図１５】利用パターンクラスタ情報データベースを表す図である。
【発明を実施するための形態】
【０００８】
以下、実施例を図面を用いて説明する。
＜発明全体の概要＞
本システム全体の概要について説明する。図1は、鉄道ＩＣカード乗車券のＩＣカードＩＤ管理システムにおいてＩＣカードを用いずに指静脈認証によりＩＣカードＩＤの利用、または電子マネー決済を可能とするシステムの全体構成である。本システムは、鉄道ＩＣカード乗車券システムにおいてＩＣカードＩＤ管理を行うＩＣカードＩＤ管理サーバ１００、鉄道駅構内に設置される鉄道営業機器で指静脈読取装置を搭載しており、主に発券業務を行う券売機２００、入出改札業務を行う改札機３００、飲料製品などの販売業務を行う自販機４００、販売店舗において電子マネー決済をおこなう営業機器で指静脈読取装置を搭載した精算機５００から構成される。
【０００９】
ＩＣカード利用者は、これら券売機や改札機、自販機等の指静脈読取装置を搭載した認証情報受付け装置へ、ＩＣカード利用者自身の指静脈情報を入力することにより、ＩＣカード利用者自身の所有するＩＣカードのＩＣカードＩＤ情報の利用やＩＣカードＩＤ情報の一部である電子マネーの利用および電子マネー入金操作が可能となる。
【００１０】
例えば、ＩＣカード利用者は、販売店舗においてＩＣカードＩＤ情報の一部である電子マネーで物品購入をする場合に、従来は、ＩＣカードＩＤ情報に電子マネーを入金してあるＩＣカードを店舗設置のＩＣカード読取り装置にセットし、ＩＣカード内のＩＣチップに格納されているＩＣカードＩＤ情報を読取らせることにより電子マネー精算を行うが、本システムではＩＣカードを持っていない場合でも、店舗に設置された指静脈読取装置を搭載した精算機からＩＣカード利用者自身の指静脈情報６００を入力することにより電子マネー精算することが可能となる。
＜構成要素の説明＞
本システムの構成要素を示す図２、図３、図４、図６、図７について説明する。
【００１１】
図２は、図１のＩＤ管理センターサーバにおいてＩＣカードＩＤ情報を管理する認証情報管理データベースである。ＩＣカードＩＤ情報には、ＩＣカードＩＤ１１０、電子マネー残額１２０、利用者指静脈情報１３０、利用パターン分類クラスタ１４０、最新利用エリア分類クラスタ１５０、移動エリア分類クラスタ１６０、最新利用時刻１７０、ユーザ状況１８０がある。本実施例ではこのような構成となっているがこれに限定されるものではなく、例えばＩＣカードＩＤを持たないものも想定される。
【００１２】
ＩＣカードＩＤ１１０は、ＩＣカード内のＩＣチップ内に登録されているユニークな文字列であり、これによりＩＣカードを一意に特定することができる。
【００１３】
また、ここでいうクラスタとはユーザ認証情報にそれぞれグループ分けする情報を紐つけて記憶させることで、指静脈情報等の認証情報を照合する際に、１対Ｎの全ての認証情報に対して照合させるのではなく、特定されたグループ情報を持つ認証情報とだけ照合することで照合する認証情報を減らして処理を効率よくしようとするものである。なお、本実施例ではグループの特徴、すなわちクラスタの特徴によって、利用パターン分類クラスタ１４０、最新利用エリア分類クラスタ１５０、移動エリア分類クラスタ１６０を想定している。
【００１４】
電子マネー残額１２０は、ＩＣカード利用者が利用可能な電子マネーの金額であり、ＩＣカード利用者の入金操作および電子マネーを利用した金額に応じて増減する。電子マネー残額１２０が０の場合は、ＩＣカード利用者は電子マネーを利用することができない。
【００１５】
利用者指静脈情報１３０は、ＩＣカード利用者が指静脈認証によるＩＣカードＩＤの利用、または電子マネー決済で用いるＩＣカード利用者自身の指静脈情報である。ＩＣカードを所有するＩＣカード利用者は、そのＩＣカードの持つＩＣカードＩＤ情報に自身の指静脈情報を登録する。ＩＣカード利用者の利用者指静脈情報登録方法については後述する券売機の説明で改めて述べる。本実施例では指静脈での認証を前提としているがこれに限定されるものではなく、認証に使われる認証情報であれば何でも良い。
【００１６】
利用パターン分類クラスタ１４０は、ＩＣカード利用者のＩＣカード利用履歴から頻出する利用パターンのクラスタが登録されている。つまりユーザの認証情報受付け装置をいつ利用したのか、どういったサービスの形態で利用したのか、どこで利用したのかといったような様々な利用情報の履歴から、頻出する利用履歴の情報によってグループ分けしようとするものである。例えば、ユーザが毎日同じ改札を同じ時間に通っていると、その場所の改札のその時間帯をグループとして、ユーザにはそのグループがクラスタとして登録されることになる。
【００１７】
利用者が指静脈情報による電子マネー決済を実施する場合に、通常は、精算機より入力された指静脈情報とＩＣカードＩＤ管理サーバで管理されている全ての利用者指静脈情報との照合を実施することになるが、本システムでは、ＩＣカード利用者のＩＣカードを利用した場所、時間、用途等の履歴情報により頻出する利用パターンを分析し、利用パターン分類クラスタとしてＩＣカードＩＤ情報に登録し、指静脈情報による照合が必要となった場合は、指静脈情報照合を要求する端末装置より送信される情報からどの利用パターン分類クラスタに属する操作かを選定し、これに属する利用バターン分類クラスタが登録されているＩＣカードＩＤの利用者指静脈情報と照合を行う。これにより指静脈認証による電子マネー決済を実施する場合に、照合すべき利用者指静脈情報を限定して行うことができ、指静脈認証に掛かる時間を短縮することが可能となる。
【００１８】
最新利用エリア分類クラスタ１５０はＩＣカード利用者がＩＣカードを利用した最新の情報で、この場合ＩＣカードまたは指静脈認証を利用した端末装置の設置場所エリア分類のクラスタである。
【００１９】
移動エリア分類クラスタ１６０はＩＣカード利用者がＩＣカードを利用した最新の時刻である最新利用時刻１６０とユーザ状況１７０と図１４に示す駅間移動所要時間データベースを元に利用者が存在すると考えられるエリア分類のクラスタである。利用パターン分類クラスタ１４０を用い、対象を限定した指静脈情報照合処理を実施して照合が成立しなかった場合に、指静脈認証によるＩＣカードＩＤ利用、または電子マネー決済が実施された端末装置の設置場所のエリア分類クラスタを選定し、同じエリア分類クラスタが最新利用エリア分類クラスタ１５０または移動エリアクラスタ１６０の項目に登録されているＩＣカードＩＤ情報の利用者指静脈情報と照合を行う。これによりＩＣカード利用者が、頻度の高い利用パターン以外での指静脈認証による電子マネー決済操作を行った場合でも、端末装置の設置されていおｌるエリア内に存在すると予測される利用者に限定して照合を行うことができる。
【００２０】
電子マネーの利用された場所、時間、用途をパラメータにした利用パターンによるクラスタの分類とエリア分類クラスタによるエリア分類方法、ＩＣカードＩＤ情報の最新利用エリア分類クラスタ１５０と移動エリアクラスタ１６０へエリア分類クラスタを登録・更新する仕組みは後述する。
【００２１】
図３は、認証情報受付け装置のうち指静脈情報入力装置を搭載した券売機の構成図である。ＩＣカードＩＤ管理サーバと通信制御を行う通信制御部２１０、ＩＣカード利用者が電子マネー入金操作を行う場合の紙幣や貨幣を取込み、入金金額の読取り、お釣りなどで返金が必要な場合の紙幣や貨幣排出などを行う入出金装置２２０、利用者の券売機操作により購入した鉄道乗車券を印刷し排出する発券装置２３０、ＩＣカード利用者がＩＣカードによる各種操作を行うためにＩＣカードをセットしＩＣカード内のＩＣチップに格納されているＩＣカードＩＤ情報を読取らせるＩＣカードＩＤ読取装置２４０、ＩＣカード利用者が指静脈情報を読取らせる指静脈情報入力装置２５０、ユーザへ発券操作を提供しユーザの購入した鉄道乗車券を発券装置へ印刷指示する発券業務部２６０、利用者へ再発券操作を提供し利用者が再発券操作した鉄道乗車券を発券装置へ印刷指示する再発券部２７０、ＩＣカード利用者へ指静脈情報登録操作することを提供する指静脈情報登録・照合部２８０、ＩＣカード利用者へＩＣカードＩＤ情報の電子マネー情報に入金する操作を提供し、ユーザがＩＣカードＩＤ読取り装置２４０にセットしたＩＣカードのＩＣカードＩＤを持つＩＣカードＩＤ管理サーバの認証情報管理データベースに登録されているＩＣカードＩＤ情報の電子マネー残額情報へ、ユーザが入出金装置へ入金した金額を加算して登録する電子マネー入金部２９０から構成される。
【００２２】
図４はＩＣカードＩＤ管理センターサーバの構成図である。図１に示す鉄道ＩＣカード乗車券のＩＤ管理システムにおいて、ＩＣカード利用者が操作する券売機２００、改札機３００、自販機４００、精算機５００とネットワークを介し、通信を行う通信制御部１０１０、後述の実装部が各処理を実施する場合に必要な時刻情報を取得する内部時計１０２０、ＩＤ管理システムにおいて、ＩＣカード利用者が操作する券売機２００、改札機３００、自販機４００、精算機５００からネットワークおよびＩＣカードＩＤ管理サーバの通信制御部１０１０を介し送信されてくる操作情報を受信し、認証情報管理データベース１０６０、ＩＣカードＩＤ利用履歴データベース１０７０を更新し、操作情報により必要なデータをＩＣカード利用者が操作した各端末装置に送信するＩＤ管理業務部１０３０、ＩＣカード利用者が指静脈情報を登録する場合は、操作対照となるＩＣカードＩＤ情報の利用者指静脈情報へ操作端末より受信した利用者指静脈情報の登録を実施し、ＩＣカード利用者が指静脈認証によるＩＣカードＩＤ利用、または電子マネー決済を実施する場合は各操作端末より受信する利用者指静脈情報とＩＣカードＩＤ情報に登録されている利用者指静脈情報との照合処理を行う認証情報登録・照合部１０４０。認証情報登録・照合部１０４０が指静脈情報の照合処理を実施する場合に照合対象とする利用者指静脈情報を限定するために用いる利用パターン分類クラスタおよび最新利用エリア分類クラスタ、移動エリア分類クラスタの分析処理を行い、クラスタ分析結果を認証情報管理データベースのＩＣカードＩＤ情報の利用パターン分類クラスタ１４０、最新利用エリア分類クラスタ１５０、移動エリア分類クラスタ１６０へ反映・登録する認証情報クラスタリング部１０５０、図２に示す認証情報管理データベースによりＩＣカードＩＤ情報を管理する認証情報管理データベース１０６０、図６に示すＩＣカードＩＤ利用履歴情報管理データベースによりＩＣカードＩＤ利用履歴情報を管理するＩＣカードＩＤ利用履歴情報管理データベース１０７０、図１に示す券売機２００、改札機３００、自販機４００、精算機５００といったＩＣカード利用者が操作する指静脈読取装置を搭載した端末装置を図７に示す指静脈読取装置機器情報管理データベースにより管理する指静脈読取装置機器情報データベース１０８０、ＩＣカードＩＤ利用履歴情報管理データベースの利用時間、機器設置エリア、利用形態情報から特定のＩＣカードＩＤについての頻出する利用パターンを抽出し、その利用パターンに利用パターンクラスタコードを付与したものをレコードとして蓄積する利用パターンクラスタ情報データベース１０９０から構成される。
【００２３】
図６は、ＩＣカード利用者がＩＣカードの利用、または指静脈認証による電子マネー決済を実施した履歴情報を管理するＩＣカードＩＤ利用履歴情報管理データベースであり、利用されたＩＣカードＩＤ３０１０とＩＣカードＩＤが利用された日時を示す利用時刻３０２０、ＩＣカード利用者がＩＣカードＩＤの利用、または電子マネー決済のためＩＣカードＩＤ情報の読取りを実施、または指静脈情報の読取りを実施した端末装置の機器ＩＤ３０３０、機器設置エリア３０４０、ＩＣカード利用者がＩＣカードの利用、または指静脈認証による電子マネー決済を実施した場合の利用形態を示す利用形態３０５０の項目から構成される。ＩＣカードＩＤ利用履歴は、ＩＣカード利用者がＩＣカードの利用、または指静脈認証による電子マネー決済を実施し、処理が完了した場合にＩＣカードＩＤ利用履歴情報管理データベースへ新らたなレコードとして登録されていく。
【００２４】
機器設置エリア３０４０の情報は、機器ＩＤ３０３０と図４に示す指静脈読取装置機器情報データベース１０８０の図７に示す指静脈読取装置機器情報管理データベースの機器ＩＤ４０１０の項目を照合し、同一の機器ＩＤを持つレコードの機器設置エリア４０３０の項目から情報を取得し、登録される。
【００２５】
図７は、ＩＣカード乗車券のＩＤ管理システムにおいてＩＣカード利用者が利用する指静脈読取装置を搭載した端末装置の認証情報受取装置の情報を管理する指静脈読取装置機器情報管理データベースであり、指静脈読取装置を搭載した端末装置の一台一台にユニークに割り当てられた文字列である機器ＩＤ４０１０、端末装置の情報を登録する機器情報４０２０、端末装置の設置エリアを示す機器設置エリア４０３０、機器の用途種別を示す用途種別４０４０の項目から構成される。図１１を用いて図７における機器設置エリア４０３０に登録する情報の例を説明する。図１１では、鉄道路線上の駅であるＡ駅、Ｂ駅、Ｃ駅、Ｄ駅、Ｅ駅、Ｆ駅、Ｇ駅、Ｈ駅が含まれるエリアに予め分割し、それぞれのエリア名をＡエリア、Ｂエリア、Ｃエリア、Ｄエリア、Ｅエリア、Ｆエリア、Ｇエリア、Ｈエリアと呼ぶこととする。例えば図７において機器ＩＤ：ＭＩＤ５５４８９１の端末装置が図１１で分割したＡ駅を含むエリアに設置されている場合、機器設置エリア４０３０の項目にはＡが登録される。
＜情報登録＞
ＩＣカード利用者がＩＣカード利用者自身の指静脈情報をＩＣカードＩＤ管理サーバへ送信し登録を実施する場合の例について説明する。
【００２６】
図５はＩＣカードを所有するＩＣカード利用者がそのＩＣカードの持つＩＣカードＩＤ情報にＩＣカード利用者自身の指静脈情報を登録する場合のフローである。ＩＣカードを所有するＩＣカード利用者は、図３に示す券売機端末の認証情報登録・照合部２８０の操作により指静脈情報登録操作を開始する（ステップ２０１０）。ＩＣカード利用者は、図３に示すＩＣカードＩＤ読取装置２４０にＩＣカードをセットしＩＣカード内のＩＣチップに格納されているＩＣカードＩＤ情報を読取らせ、読取らせたＩＣカードＩＤ情報をＩＣカードＩＤ管理サーバへ送信しＩＣカードＩＤ管理サーバで管理する認証情報管理データベースに登録されているＩＣカードＩＤとの照合するようＩＣカードＩＤ照合要求（ステップ２０２０）を実施する。ＩＣカードＩＤ管理サーバは、ＩＣカードＩＤ照合（ステップ２０３０）を実施し、券売機より受信したＩＣカードＩＤで認証情報管理データベースのＩＣカードＩＤ情報と照合し、該当するＩＣカードＩＤ情報の利用者指静脈情報１３０の項目に指静脈情報が登録されているか登録されていないかを確認し、その結果を券売機へ送信する。券売機では、ＩＣカード利用者のセットしたＩＣカードについて指静脈情報が登録されているか登録されていないかの結果を受信し、指静脈情報登録ありの場合は、そのまま処理を終了する。
【００２７】
指静脈情報登録が無い場合は、ＩＣカード利用者はＩＤ情報を図３に示す券売機の認証情報入力装置２５０より利用者自身の指静脈情報を入力し（ステップ２０６０）、入力された指静脈情報は券売機からＩＣカード管理サーバへ送信される。この場合、券売機は指静脈情報と合わせてＩＣカードＩＤ、利用日時、機器ＩＤ、利用形態、ユーザー状況の情報をＩＣカードＩＤ管理サーバへ送信する。図１２にＩＣカード利用者が券売機で利用者自身の指静脈情報を登録する場合に券売機からＩＣカードＩＤ管理サーバへ送信する利用者指静脈情報登録データの例を示す。
【００２８】
図１２に示す利用者指静脈情報登録データを券売機から受信したＩＣカードＩＤ管理サーバは、ＩＣカードＩＤ９０１０に該当する認証情報管理データベース１０６０の認証情報管理データベースのレコードの利用者指静脈情報１３０の項目として受信したデータの利用者指静脈情報９０２０を登録する（ステップ２０８０）。合わせて認証情報管理データベースの最新利用時刻１６０とユーザ状況１７０の項目として、受信したデータの利用時刻９０４０とユーザー状況９０６０をそれぞれ登録する（ステップ２０９０）。
【００２９】
図１２に示す利用者指静脈情報登録データを券売機から受信したＩＣカードＩＤ管理サーバは、ＩＣカードＩＤ９０１０、利用時刻９０４０、機器ＩＤ９０３０、利用形態９０５０の情報を用い、図４に示すＩＣカードＩＤ利用履歴データベースの図６に示すＩＣカードＩＤ利用履歴情報管理データベースの新たなレコードとしてＩＣカードＩＤ３０１０、利用時刻３０２０、機器ＩＤ３０３０、利用形態３０５０を登録する（ステップ２１００）。
【００３０】
機器設置エリア３０４０の情報は、機器ＩＤ３０３０と図４に示す指静脈読取装置機器情報データベース１０８０の図７に示す指静脈読取装置機器情報管理データベースの機器ＩＤ４０１０の項目を照合し、同一の機器ＩＤを持つレコードの機器設置エリア４０３０の項目から機器設置エリア情報を取得し、登録される。
【００３１】
ＩＣカードＩＤ管理サーバは、図１２に示す券売機から受信した利用者指静脈情報登録データの機器ＩＤ９０３０と図４に示す指静脈読取装置機器情報データベース１０８０の図７に示す指静脈読取装置機器情報管理データベースの機器ＩＤ４０１０の項目を照合し、同一の機器ＩＤを持つレコードの機器設置エリア４０３０の項目から情報を取得し、認証情報管理データベース１０６０の認証情報管理データベースのＩＣカードＩＤ９０１０に該当するレコードのエリア分類クラスタの項目に追加する（ステップ２１１０）。
【００３２】
ＩＣカードＩＤ管理サーバは券売機へ処理終了を通知し、券売機は指静脈登録処理を終了（ステップ２１２０）する。
＜利用パターン分類クラスタ登録＞
図４のＩＣカードＩＤ管理サーバにおいて図６に示すＩＣカードＩＤ利用履歴データベースより図２に示す認証情報管理データベースの利用パターン分類クラスタ１４０を更新・登録する処理を実施する場合の例について説明する。
【００３３】
図９は図６に示すＩＣカードＩＤ利用履歴データベースの情報より、２種類のＩＣカードＩＤのＩＣカードＩＤ利用履歴について頻出する利用パターンを抽出した例である。
【００３４】
利用パターンはＩＣカードＩＤが利用された時刻６１１０（６２１０）、場所６１２０（６２２０）、利用形態６１３０（６２３０）の３個の情報の組み合わせによって分類される。
【００３５】
時刻６１１０（６２１０）情報については、ＩＣカードＩＤ利用履歴データベースの利用日時３０２０に登録されている内容から「年月日」および「分」の情報を除いた、「時間」の情報により分類される。例えばＩＣカードＩＤ利用履歴データベースの利用日時３０２０に登録されている内容が、「２０１１／０９／２１  ０７：１０」であった場合は「０７」時台利用の情報ということで分類される。
【００３６】
場所６１２０（６２２０）情報については、ＩＣカードＩＤ利用履歴データベースの機器設置エリア３０４０に登録されている内容で分類される。例えばＩＣカードＩＤ利用履歴データベースの機器設置エリア３０４０に登録されている内容が「Ａ」であった場合は、「Ａ」エリア利用の情報ということで分類される。
【００３７】
機器設置エリア３０４０の情報は、機器ＩＤ３０３０と図４に示す指静脈読取装置機器情報データベース１０８０の図７に示す指静脈読取装置機器情報管理データベースの機器ＩＤ４０１０の項目を照合し、同一の機器ＩＤを持つレコードの機器設置エリア４０３０の項目から情報を取得し、登録される。
【００３８】
図６に示すＩＣカードＩＤ利用履歴は、ＩＣカード利用者がＩＣカードの利用、または指静脈認証による電子マネー決済を実施し、処理が完了した場合にＩＣカードＩＤ利用履歴情報管理データベースへ新らたなレコードとして登録される。
【００３９】
利用形態６１３０（６２３０）については、ＩＣカードＩＤ利用履歴データベースの利用形態３０５０に登録されている内容で分類される。例えばＩＣカードＩＤ利用履歴データベースの利用形態３０５０に登録されている内容が「入改札」であった場合は、「入改札」の利用形態の情報ということで分類される。
【００４０】
ＩＣカードＩＤ利用履歴データベースの利用形態３０５０に登録される内容は、ＩＣカード利用者がＩＣカードの利用、または指静脈認証による電子マネー決済を実施した場合に、ＩＣカード利用者に操作された端末装置から、操作に応じた内容の情報が送信される。たとえば改札機で利用者がＩＣカードにより駅構内へ入った場合は「入改札」、駅から出た場合は「出改札」という情報が送信され、利用形態３０５０に登録される。同様に、たとえば自動販売機で利用者がＩＣカードにより物品購入した場合は「自販機購入」、飲食店設置の物販用端末で利用者がＩＣカードにより飲食代の精算に利用した場合は「飲食店購入」、駅売店設置の物販用端末で利用者がＩＣカードにより購入品代の精算に利用した場合は「売店購入」という情報が送信され、利用形態３０５０に登録される。
【００４１】
図６のＩＣカードＩＤ利用履歴データベースにおいてＩＣカードＩＤが「ＪＥ３４５  １１２２  ３３４４」であるレコードで頻出の利用パターンを抽出したものが図９の６１００、ＩＣカードＩＤが「ＪＥ２２３  ３４４５  ８８９９」であるレコードで頻出の利用パターンを抽出したものが図９の６２００である。
【００４２】
図９において頻出利用パターンクラスタ６１４０（６２４０）の項目は、上記の「時刻、場所、利用形態」のパターンの組み合わせにより分類されたクラスタを示す。
【００４３】
あるＩＣカードＩＤについての頻出利用パターンクラスタの決め方は、ＩＣカードＩＤ利用履歴データベースの、あるＩＣカードＩＤを持つレコードから頻出する上位幾つかの順位までの利用パターンを選出する方法や、一定期間の内に決められた回数以上出現した利用パターン選出する方法などがある。上記２種類の選出方法を複合することも可能である。例えば図９での頻出利用パターンの決め方は、あるＩＣカードＩＤを持つレコードについて、上位５つまでの利用パターンと、１ヶ月(３０日)以内に１５回以上出現した利用パターンを選出したものとする。
【００４４】
図９の６１００の表では、ＩＣカードＩＤ「ＪＥ３４５  １１２２  ３３４４」において「７時台、Ａエリア、入改札」、「８時台、Ｊエリア、出改札」、「８時台、Ｊエリア、自販機利用」、「１８時台、Ｊエリア、入改札」、「１９時台、Ａエリア、出改札」という５種類の利用パターンが頻出利用パターンクラスタとして選出されていることを示している。選出された利用パターンクラスタは図４に示すＩＣカードＩＤ管理センターサーバの利用パターンクラスタ情報データベース１０９０において、図１５に示す利用パターンクラスタ情報データベースで管理される。利用パターンクラスタ情報データベースのレコードは利用パターンクラスタコード１１０１０、時間１１０２０、エリア１１０３０、利用形態１１０４０の項目から構成される。図９の６１００で選出された５種類の頻出利用パターンクラスタは、それぞれの時間、エリア、利用形態に合致するレコードの照合が行われ、合致するレコードがある場合は、その利用パターンクラスタコードを取得する。合致するレコードが無い場合は、システムにより利用パターンクラスタＩＤがユニークに付与される。そして、図４に示すＩＣカードＩＤ管理センターサーバの利用パターンクラスタ情報データベース１０９０において図１５に示す利用パターンクラスタ情報データベースに新たなレコードとして追加される。これよりＩＣカードＩＤ「ＪＥ３４５  １１２２  ３３４４」の５種類の頻出利用パターンクラスタの利用パターンクラスタコードが「ＵＣ００００１」、「ＵＣ００００２」、「ＵＣ００００３」、「ＵＣ００００４」、「ＵＣ００００５」であったとすると、ＩＣカードＩＤ「ＪＥ３４５  １１２２  ３３４４」は「ＵＣ００００１」、「ＵＣ００００２」、「ＵＣ００００３」、「ＵＣ００００４」、「ＵＣ００００５」の利用パターンクラスタに属するということになり、図２に示す認証情報管理データベースのＩＣカードＩＤ１１０が「ＪＥ３４５  １１２２  ３３４４」であるレコードの利用パターン分類クラスタ１４０の項目には、「ＵＣ００００１」、「ＵＣ０００００２」、「ＵＣ００００３」、「ＵＣ００００４」、「ＵＣ００００５」が登録される。
【００４５】
ＩＣカードＩＤ「ＪＥ２２３  ３４４５  ８８９９」において「７時台、Ｇエリア、入改札」、「８時台、Ｅエリア、飲食店利用」、「８時台、Ｅエリア、出改札」、「１９時台、Ｅエリア、入改札」、「１９時台、Ｇエリア、売店購入」、「２０時台、Ｇエリア、出改札」という６種類の利用パターンが頻出した場合、それぞれの利用パターンの利用パターンクラスタコードが「ＵＣ００００６」、「ＵＣ０００００７」、「ＵＣ００００８」、「ＵＣ００００９」、「ＵＣ０００１０」、「ＵＣ０００１１」であったとすると、ＩＣカードＩＤ「ＪＥ２２３  ３４４５  ８８９９」は「ＵＣ００００６」、「ＵＣ０００００７」、「ＵＣ００００８」、「ＵＣ００００９」、「ＵＣ０００１０」、「ＵＣ０００１１」の利用パターンクラスタに属するということになり、図２に示す認証情報管理データベースのＩＣカードＩＤ１１０が「ＪＥ２２３  ３４４５  ８８９９」であるレコードの利用パターン分類クラスタ１４０の項目には、「ＵＣ００００６」、「ＵＣ０００００７」、「ＵＣ００００８」、「ＵＣ００００９」、「ＵＣ０００１０」、「ＵＣ０００１１」が登録される。
【００４６】
上記、図６に示すＩＣカードＩＤ利用履歴データベースの情報よりＩＣカードＩＤ毎に頻出利用パターンを抽出し、図４に示すＩＣカードＩＤ管理センターサーバの利用パターンクラスタ情報データベース１０９０において、図１５に示す利用パターンクラスタ情報データベースからの該当する利用パターンクラスタコードの照合、合致する利用パターンクラスタコードがない場合は新規レコード追加を実施し、選択された利用パターンクラスタコードを図２における認証情報管理データベースの利用パターン分類クラスタ１４０の項目へ登録する処理は、認証情報管理データベースに登録されている全てのＩＣカードＩＤに対し、１日１回程度の頻度で、ＩＣカード利用者が端末装置を操作することによるＩＣカードＩＤ管理サーバへのアクセスの負荷が少ない時間帯にバッチ処理で実施される。
＜利用パターン分類クラスタ更新・登録＞
図４のＩＣカードＩＤ管理サーバにおいて、図２に示す認証情報管理データベースの最新利用エリア分類クラスタ１５０、移動エリア分類クラスタ１６０を更新・登録する処理を実施する場合の例について説明する。
【００４７】
図１０は図２の最新利用エリア分類クラスタ１５０および移動エリア分類クラスタ１６０に登録されるエリア情報の更新フローである。
【００４８】
ＩＣカード利用者がＩＣカードの利用、または指静脈認証による電子マネー決済を実施した場合に図４に示すＩＣカードＩＤ管理サーバは利用者が操作した図１に示す券売機２００、改札機３００、自販機４００、精算機５００の操作端末より送信される図１３に示す利用情報データを受信する。利用情報データは、利用者指静脈情報１００１０または、ＩＣカードＩＤ１００２０、利用者が操作した操作端末の機器ＩＤ１００３０、利用時刻１００４０、利用形態１００５０、ユーザー状況１００６０、電子マネー利用額１００７０から構成される。
【００４９】
図４に示すＩＣカードＩＤ管理サーバは、操作端末より受信した利用情報データのＩＣカードＩＤ１００２０に該当する認証情報管理データベース１０６０の図２に示す認証情報管理データベースのレコードの最新利用時刻１７０の項目へ操作端末より受信した利用情報データの利用時刻１００４０の情報を更新登録する（ステップ７０３０）。また認証情報管理データベースのユーザー状況１８０の項目へ操作端末より受信した利用情報データのユーザー状況１００６０の情報を更新登録する。
【００５０】
操作中のＩＣカードＩＤをもつ認証情報管理データベースのレコードの最新利用エリア分類クラスタ１５０、移動エリア分類クラスタ１６０に登録されている内容を消去し、操作端末より受信した利用情報データの機器ＩＤ１００３０と図４に示す指静脈読取装置機器情報データベース１０８０の図７に示す指静脈読取装置機器情報管理データベースの機器ＩＤ４０１０の項目を照合し、同一の機器ＩＤを持つ指静脈読取装置機器情報管理データベースのレコードの機器設置エリア４０３０の項目から機器設置エリア情報を取得し、最新利用エリア分類クラスタ１５０の項目に登録する（ステップ７０４０）。
【００５１】
操作中のＩＣカードＩＤの認証情報管理データベースのレコードのユーザー状況１８０の内容が改札外の場合は最新利用エリア分類クラスタ１５０および移動エリア分類クラスタ１６０の更新フローを終了する７０９０。
【００５２】
ユーザー状況１８０の内容が改札内の場合は、ＩＣカードＩＤ管理サーバの持つ図１４に示す駅間移動所要時間データベースを参照し、最新利用時刻１７０から現在時刻まで経過した時間内で最新利用エリア分類クラスタ１６０に登録されているエリアクラスタに含まれる駅から移動できる駅を含むエリアクラスタがある場合は、そのエリアクラスタを操作中のＩＣカードＩＤを持つ認証情報管理データベースのレコードの移動エリア分類クラスタ１６０に追加する。この移動エリア分類クラスタ１６０の更新処理は、時間間隔tで繰り返し行われる。新たなＩＣカード利用イベントが発生した場合は、繰り返しを終了し、ＩＣカード最新利用時刻更新処理７０３０から処理を行うこととなる。また移動エリア分類クラスタ１６０の項目に最新利用エリア分類クラスタ１５０に登録してあるエリアクラスタ以外の全エリアクラスタが登録された場合は、移動エリア分類クラスタ１６０の更新繰り返し処理は終了し、再度ＩＣカード利用イベントが発生するまで待ち状態となる。
＜照合処理＞
本システムにおいてＩＣカード利用者が指静脈認証によるＩＣカードＩＤ利用、または電子マネー決済を実施する場合の例について説明する。本実施例では指静脈認証であるがこれに限定されるものではなく、認証情報であれば何でもよい。
【００５３】
図８は本システムにおいてＩＣカード利用者が指静脈読取装置を搭載した端末機器から指静脈認証によりＩＣカードＩＤ利用、または電子マネー決済を行う場合のフローである。
【００５４】
ＩＣカード利用者は、図１に示す券売機２００、改札機３００、自販機４００、精算機５００などの操作端末に搭載の認証情報入力装置から指静脈情報をよみとらせる。操作端末はＩＣカードＩＤ管理サーバーへ図１３に示す利用情報データを送信する（ステップ５０２０）。
【００５５】
利用情報データは、利用者指静脈情報１００２０または、ＩＣカードＩＤ１００１０、利用者が操作した操作端末の機器ＩＤ１００３０、利用時刻１００４０、利用形態１００５０、ユーザー状況１００６０、電子マネー利用額１００７０から構成される。ICカードID１００１０は必ずあるものではなく、ない場合もある。本実施例では、指静脈認証による電子マネー決済操作なのでＩＣカードＩＤ１００１０の項目は空欄である。
【００５６】
ＩＣカードＩＤ管理サーバでは、ＩＣカード利用者の操作した操作端末より送信される利用情報データに含まれる機器ＩＤ１００３０と図４に示す指静脈読取装置機器情報データベース１０８０の図７に示す指静脈読取装置機器情報管理データベースの機器ＩＤ４０１０の項目を照合し、同一の機器ＩＤを持つ指静脈読取装置機器情報管理データベースのレコードの機器設置エリア４０３０の項目から機器設置エリア情報を取得する（ステップ５０３０）。
【００５７】
上記処理（ステップ５０３０）で取得した機器設置エリアとＩＣカード利用情報に含まれる利用時刻１００４０と利用形態１００５０より該当する利用パターン分類クラスタを選定する（ステップ５０４０）。
【００５８】
操作端末より送信される利用情報データに含まれる利用者指静脈情報１００２０と認証情報管理データベースの利用パターン分類クラスタ１４０の項目に、上記処理（ステップ５０４０）で選定した利用パターン分類クラスタが登録されているレコードの利用者指静脈情報１３０で照合処理を行う（ステップ５０５０）。
【００５９】
照合成立し、操作端末より送信される利用情報データに含まれる利用者指静脈情報１００２０と一致する利用者指静脈情報１３０を持つ認証情報管理データベースのレコードが選定された場合は、利用情報データに含まれる電子マネー利用額１００７０の情報で該当する認証情報管理データベース１０６０のレコードの電子マネー残額１２０の情報を更新する（ステップ５０７０）。
【００６０】
利用パターン分類クラスタにより照合範囲を限定した指静脈照合処理（ステップ５０５０）において照合成立する認証情報管理データベース１０６０のレコードが存在しない場合は、認証情報管理データベースの最新利用エリア分類クラスタ１５０、または移動エリア分類クラスタ１６０の項目に、上記処理（ステップ５０３０）で取得した機器設置エリアと同じエリア情報が登録されているレコードの利用者指静脈情報１３０で照合処理を行う（ステップ５０６０）。照合成立し、操作端末より送信される利用情報データに含まれる利用者指静脈情報１００２０と一致する利用者指静脈情報１３０を持つ認証情報管理データベースのレコードが選定された場合は、利用情報データに含まれる電子マネー利用額１００７０の情報で該当する認証情報管理データベースのレコードの電子マネー残額１２０の情報を更新する（ステップ５０７０）。
【００６１】
ＩＣカードＩＤ管理サーバにおいて電子マネー残額更新処理（ステップ５０７０）を実施した後は、ＩＣカードＩＤ管理サーバからＩＣカード利用者の操作した端末へ電子マネー残額更新処理完了を通知する（ステップ５０８０）。電子マネー残額更新処理完了通知を受信した操作端末は電子マネー決済処理完了のステータスとなる。
【００６２】
電子マネー残額更新処理完了通知（ステップ５０８０）を実施したＩＣカードＩＤ管理サーバでは、電子マネー残額更新処理を実施した認証情報管理データベースの該当レコードに対し更新実施例５で説明した最新利用エリア分類クラスタ１５０および移動エリア分類クラスタ１６０の項目の更新処理を実施する。
【００６３】
本システムのＩＣカード利用者が操作端末から指静脈認証によるＩＣカードＩＤ利用、または電子マネー決済を実施し、図８における利用パターン分類クラスタによる認証情報照合処理（ステップ５０５０）で指静脈情報の照合が成立する例を以下に述べる。
【００６４】
ＩＣカード利用者が会社の通勤のために平日利用している場合は、出勤時ににおける自宅最寄駅での入改札と会社最寄駅での出改札、退勤時における会社最寄駅での入改札と自宅最寄駅での出改札の利用パターン分類クラスタがＩＣカードＩＤ管理サーバの認証情報管理データベースのＩＣカード利用者の所持するＩＣカードのＩＣカードＩＤに該当するレコードの利用パターン分類クラスタの項目に登録されている。その他ＩＣカード利用者特有の行動パターンがある場合は、その利用パターンに該当する利用パターン分類クラスタが認証情報管理データベースのＩＣカード利用者の所持するＩＣカードのＩＣカードＩＤに該当するレコードの利用パターン分類クラスタの項目に登録されている。
【００６５】
図２に示すＩＣカードＩＤが「ＪＥ３４５  １１２２  ３３４４」のＩＣカードの利用者が７時台にＡ駅で改札機で入改札のため指静脈情報を入力したとする。この場合図８の指静脈認証によるＩＣカード利用または電子マネー精算をする場合のフローに従い、改札機は図１３に示す形式の利用情報データをＩＣカードＩＤ管理サーバへ送信する。ＩＣカードＩＤ管理サーバでは、図８の機器設置エリア取得処理（ステップ５０３０）を実施し、利用情報データを送信した端末機器の設置エリアについてＡエリアであるとの情報を得る。さらに図８の利用パターン分類クラスタ選定処理（ステップ５０４０）を実施し、（ステップ５０３０）の処理で取得した機器設置エリアの情報と利用情報データに含まれる利用時刻１００４０と利用形態１００５０の情報を用い、図４に示すＩＣカードＩＤ管理センターサーバの利用パターンクラスタ情報データベース１０９０において、図１５に示す利用パターンクラスタ情報データベースを照合することにより、端末機器より受信したＩＣカード利用データが該当する利用パターンクラスタコードとして「ＵＣ００００１」を選定する。ＩＣカードＩＤ管理サーバでは、端末機器より受信したＩＣカード利用データに含まれる利用者指静脈情報１００２０と選定された利用パターンクラスタコード「ＵＣ００００１」が認証情報管理データベースの利用パターン分類クラスタ１４０に登録されているレコードの利用者指静脈情報１３０と照合する。「ＪＥ３４５  １１２２  ３３４４」のレコードの利用パターン分類クラスタ１４０には利用パターンクラスタコード「ＵＣ００００１」が登録されているため、この段階で指静脈情報の照合は成立する。
【００６６】
本システムのＩＣカード利用者が操作端末から指静脈認証によるＩＣカードＩＤ利用、または電子マネー決済を実施し、図８における利用パターン分類クラスタによる指静脈情報照合処理（ステップ５０５０）で指静脈情報の照合が成立せずにエリア分類クラスタによる指静脈情報照合処理（ステップ５０６０）で指静脈情報の照合が成立する例を以下に述べる。
【００６７】
図２に示すＩＣカードＩＤが「ＪＥ３４５  １１２２  ３３４４」のＩＣカードの利用者が出勤のため７時台にＡ駅改札で入改札し、電車に乗ったが、途中で腹痛などの急病に襲われ、やむなくＣ駅で途中下車し、急いで改札外に出ることが必要となったが、不幸にもＩＣカードをしまった場所を失念したことに気付き、出改札のためＣ駅の改札機に指静脈情報を入力したとする。この場合図８の指静脈認証によるＩＣカード利用または電子マネー精算をする場合のフローに従い、改札機は図１３に示す形式の利用情報データをＩＣカードＩＤ管理サーバへ送信する。ＩＣカードＩＤ管理サーバでは、図８の機器設置エリア取得処理（ステップ５０３０）を実施し、利用情報データを送信した端末機器の設置エリアについてＣエリアであるとの情報を得る。さらに図８の利用パターン分類クラスタ選定処理（ステップ５０４０）を実施し、（ステップ５０３０）の処理で取得した機器設置エリアの情報と利用情報データに含まれる利用時刻１００４０と利用形態１００５０の情報より端末機器より受信したＩＣカード利用データが属する利用パターンクラスタコード「ＵＣ００２９２」が選定されたとする。この場合（ステップ５０４０）の処理で選定された利用パターンクラスタコード「ＵＣ００２９２」は、「ＪＥ３４５  １１２２  ３３４４」のＩＣカードＩＤを持つＩＣカードの利用パターンとして頻出のものではなく、「ＪＥ３４５  １１２２  ３３４４」のＩＣカードＩＤ情報の利用パターン分類クラスタ１４０には登録されていない。ＩＣカードＩＤ管理サーバでは、端末機器より受信したＩＣカード利用データに含まれる利用者指静脈情報１００２０と認証情報管理データベースの利用パターン分類クラスタ１４０に処理（ステップ５０４０）で選定された利用パターン分類クラスタ「ＵＣ００２９２」が登録されているレコードの利用者指静脈情報１３０と照合する。「ＪＥ３４５  １１２２  ３３４４」のレコードの利用パターン分類クラスタ１４０には「ＵＣ００２９２」は登録されていないため、この段階で指静脈情報の照合は成立しない。
【００６８】
次にＩＣカードＩＤ管理サーバでは、エリア分類クラスタによる指静脈情報照合処理（ステップ５０６０）が実施される。ＩＣカード利用情報を送信した端末装置の機器設置エリアについては、先ほどの処理（ステップ５０３０）によりＣエリアであるとの情報を得ているので、認証情報管理データベースの最新利用エリア分類クラスタ１５０、または移動エリア分類クラスタ１６０の項目にエリアクラスタＣが登録されている認証情報管理データベースのレコードの利用者指静脈情報１３０とＩＣカード利用データに含まれる利用者指静脈情報１００２０で照合を行う。
【００６９】
ここで認証情報管理データベースにおけるＩＣカードＩＤ「ＪＥ３４５  １１２２  ３３４４」のレコードの最新利用エリア分類クラスタ１５０と移動エリア分類クラスタ１６０の項目に登録されている情報について、図１０のフローに従い説明する。ＩＣカードＩＤ「ＪＥ３４５  １１２２  ３３４４」のＩＣカード利用者は、Ａ駅で入改札を実施している。このＡ駅での入改札の場合に図１０のＩＣカード最新利用時刻更新処理（ステップ７０３０）が実施さており、ＩＣカードＩＤ「ＪＥ３４５  １１２２  ３３４４」のＩＣカードＩＤ管理情報の最新利用時刻１７０には、入改札を実施した時刻が登録されている。続いて最新利用エリア分類クラスタ登録処理（ステップ７０４０）が実施され、ＩＣカードＩＤ「ＪＥ３４５  １１２２  ３３４４」の最新利用エリア分類クラスタ１５０には、Ａが登録される。ＩＣカードＩＤ「ＪＥ３４５  １１２２  ３３４４」のユーザ状況１８０には、入改札を実施したため「改札内」が登録されており。ユーザー状況確認処理（ステップ７０５０）の分岐では、移動エリア分類クラスタ更新繰り返し処理開始（ステップ７０６０）の方へ処理が進むことになる。ここで「ＪＥ３４５  １１２２  ３３４４」のＩＣカード利用者がＣ駅へ移動した場合でＡ駅で入改札した時刻からの経過時間はＣ駅へ移動できるだけの時間が経っているため、移動エリア分類クラスタ更新繰り返し処理開始（ステップ７０６０）と移動エリア分類クラスタ追加処理（ステップ７０７０）によりＩＣカードＩＤ「ＪＥ３４５  １１２２  ３３４４」の移動エリア分類クラスタ１６０にはＣが追加登録される。この処理でＩＣカードＩＤ「ＪＥ３４５  １１２２  ３３４４」の最新利用エリア分類クラスタ１５０は更新されず、Ａが登録されているままである。
【００７０】
そのためこのケースの場合、図８におけるエリア分類クラスタによる指静脈情報照合処理（ステップ５０６０）で最新利用エリア分類クラスタ１５０、または移動エリア分類クラスタ１６０の項目にエリアクラスタＣが登録されている認証情報管理データベースのレコードの利用者指静脈情報１３０とＩＣカード利用データに含まれる利用者指静脈情報１００２０で照合を行った場合、指静脈情報の照合は成立する。
【００７１】
本実施例では、図８の電子マネー決済を行う場合のフローに示す通り、指静脈認証データの照合で、ＩＣカード利用者の利用パターンで分類したクラスタを利用した高速化手法による指静脈照合を実施した後で、ＩＣカード利用者の所在エリアを想定したクラスタを利用した高速化手法による指静脈照合を実施している。この２種類のクラスタを用いた指静脈照合の高速化手法は相互依存関係は無い。そのためこの２種類のクラスタを用いた指静脈照合の高速化手法の順番はどちらを先に実施しても問題無いため、図８とは異なり、ＩＣカード利用者の所在エリアを想定したクラスタによる高速化手法を利用した指静脈照合を実施した後で、ＩＣカード利用者の利用パターンで分類したクラスタを利用した高速化手法による指静脈照合を実施するフローとすることも可能である。さらには、同時に実施することも可能である。この場合は、先にどちらかのクラスタでの照合操作が成立した地点でもう照合成立していないクラスタでの照合操作を中断するなどの処理が必要となる。
【００７２】
本実施例での高速化手法で照合成立しないケースとして、ＩＣカード利用者が改札機より出改札操作を実施し、出改札操作を実施した改札機の設置してあるエリア以外の場所で、図２に示す認証情報管理データベースの利用パターン分類クラスタに登録されている利用パターンクラスタコードで示される「時間」、「エリア」、「利用形態」以外の利用パターンで指静脈情報認証を実施した場合が考えられる。この場合は、認証情報管理データベースに記載されている全利用者指静脈情報との照合が必要となる。
【符号の説明】
【００７３】
１００：ＩＣカードＩＤ管理サーバー
２００：券売機
３００：改札機
４００：自販機
５００：精算機
１１０：ＩＣカードＩＤ
１２０：電子マネー残額
１３０：利用者指静脈情報
１４０：利用パターン分類クラスタ
１５０：最新利用エリア分類クラスタ
１６０：移動エリア分類クラスタ
１７０：最新利用時刻
１８０：ユーザー状況
２１０：通信制御部
２２０：入出金装置
２３０：発券装置
２４０：ＩＣカードＩＤ読取装置
２５０：認証情報入力装置
２６０：発券業務部
２７０：再発券業務部
２８０：認証情報登録・照合部
２９０：電子マネー入金部
１０１０：通信制御部
１０２０：内部時計
１０３０：ＩＤ管理業務部
１０４０：認証情報登録・照合部
１０５０：認証情報クラスタリング部
１０６０：ＩＣカードＩＤ管理ＤＢ
１０７０：ＩＣカードＩＤ利用履歴情報ＤＢ
１０８０：指静脈読取装置機器情報ＤＢ
２０１０：開始処理
２０２０：ＩＣカードＩＤ照合要求処理
２０３０：ＩＣカードＩＤ照合処理
２０４０：ＩＣカードＩＤ登録指静脈情報確認処理
２０５０：指静脈情報登録分岐処理
２０６０：指静脈情報入力操作
２０７０：指静脈情報登録データ送信処理
２０８０：指静脈情報登録処理
２０９０：ＩＣカードＩＤ管理情報更新処理
２１００：ＩＣカードＩＤ利用履歴ＤＢレコード追加処理
２１１０：移動エリア分類クラスタ登録処理
２１２０：終了処理
３０１０：ＩＣカードＩＤ
３０２０：利用時刻
３０３０：機器ＩＤ
３０４０：機器設置エリア
３０５０：利用形態
４０１０：機器ＩＤ
４０２０：機器情報
４０３０：機器設置エリア
４０４０：機器用途種別
５０１０：開始処理
５０２０：ＩＣカード利用情報送信処理
５０３０：機器設置エリア取得処理
５０４０：利用パターン分類クラスタ選定処理
５０５０：利用パターン分類クラスタによる指静脈情報照合処理
５０６０：エリア分類クラスタによる指静脈情報照合処理
５０７０：電子マネー残額更新処理
５０８０：電子マネー残額更新処理完了通知
５０９０：完了処理
５１００：最新利用エリア分類クラスタ、移動エリア分類クラスタ更新処理
６１００：ＩＣカードＩＤ：ＪＥ３４５  １１２２  ３３４４  の頻出利用パターン
６１１０：時刻
６１２０：場所
６１３０：利用形態
６１４０：頻出利用パターンクラスタ
６２１０：ＩＣカードＩＤ：ＪＥ２２３  ３４４５  ８８９９  の頻出利用パターン
６２２０：時刻
６２３０：場所
６２４０：利用形態
６２５０：頻出利用パターンクラスタ
７０１０：ＩＣカード利用
７０２０：開始処理
７０３０：ＩＣカード最新利用時刻更新処理
７０４０：最新利用エリア分類クラスタ更新処理
７０５０：ユーザー状況確認処理
７０６０：移動エリア分類クラスタ更新繰り返し処理開始
７０７０：移動エリア分類クラスタ追加処理
７０８０：ＩＣカード利用確認処理
７０９０：移動エリア分類クラスタ更新繰り返し処理終了
７１００：終了処理
９０１０：ＩＣカードＩＤ
９０２０：利用者指静脈情報
９０３０：機器ＩＤ
９０４０：利用時刻
９０５０：利用形態
９０６０：ユーザー状況
１００１０：ＩＣカードＩＤ
１００２０：利用者指静脈情報
１００３０：機器ＩＤ
１００４０：利用時刻
１００５０：利用形態
１００６０：ユーザー状況
１００７０：電子マネー利用額
１１０１０：利用パターンクラスタコード
１１０２０：時間
１１０３０：エリア
１１０４０：利用形態
【図１】
2013196075.tif 000003
【図２】
2013196075.tif 000004
【図３】
2013196075.tif 000005
【図４】
2013196075.tif 000006
【図５】
2013196075.tif 000007
【図６】
2013196075.tif 000008
【図７】
2013196075.tif 000009
【図８】
2013196075.tif 000010
【図９】
2013196075.tif 000011
【図１０】
2013196075.tif 000012
【図１１】
2013196075.tif 000013
【図１２】
2013196075.tif 000014
【図１３】
2013196075.tif 000015
【図１４】
2013196075.tif 000016
【図１５】
2013196075.tif 000017